(57)【要約】      （修正有）【解決手段】基板１１の周縁に筒体１２を立設した地中構造物用側塊Ｍにおいて、筒体１２の少なくとも内壁面を先端に向かって外側に傾斜させる。また、筒体１２の側壁部１２１に開口部２０を設け，筒体１２の内壁面における開口部２０近傍を，基板１１に対して垂直な面にする。【効果】内壁面を形成するコンクリート型が単一の型であっても型抜きが容易にできる。成形作業がしやすく、生産能率を向上させやすい。また、開口部に導管を繋ぐときに、その先端縁と筒体の内壁面とを面一にしやすい。【選択図】図１
2004339915.tif 000002
【特許請求の範囲】
【請求項１】
基板の周縁に筒体を立設した地中構造物用側塊において、前記筒体の少なくとも内壁面が先端に向かって外側に傾斜していることを特徴とする地中構造物用側塊。
【請求項２】
請求項１の地中構造物用側塊において、前記筒体の側壁部に開口部を設けるとともに前記筒体の内壁面における前記開口部近傍を前記基板に対して垂直な面にしたことを特徴とする地中構造物用側塊。
【請求項３】
基板の周縁に筒体を立設した地中構造物用側塊において、前記筒体の側壁部が先端に向かうに従って肉薄になっていることを特徴とする地中構造物用側塊。
【請求項４】
請求項３の地中構造物用側塊において、前記筒体の側壁部に開口部を設けるとともに前記筒体の内壁面における前記開口部近傍を前記基板に対して垂直な面にしたことを特徴とする地中構造物用側塊。
【請求項５】
基板の周縁に筒体を立設し、この筒体の側壁部に開口部を有し、前記筒体の少なくとも内壁面が先端に向かって外側に傾斜しているとともに前記開口部の内壁面近傍を前記基板に対して垂直な面に形成した地中構造物用側塊をコンクリート成形するにあたって、前記開口部の内壁面近傍を入子によって成形することを特徴とする地中構造物用側塊の製法。
【請求項６】
基板の周縁に筒体を立設し、前記筒体の少なくとも内壁面が先端に向かって外側に傾斜している地中構造物用側塊部材を一対用意し、これらの地中構造物用側塊部材の各々筒体の先端縁を互いに対向させるとともにこれらの先端縁を連設したことを特徴とする地中構造物用側塊。
【請求項７】
基板の周縁に筒体を立設し、前記筒体の側壁部が先端に向かうに従って肉薄になっている地中構造物用側塊部材を一対用意し、これらの地中構造物用側塊部材の各々筒体の先端縁を互いに対向させるとともにこれらの先端縁を連設したことを特徴とする地中構造物用側塊。
【発明の詳細な説明】
【０００１】
【発明の属する技術分野】
この発明は地中構造物用側塊およびその製法に関し、例えば、ハンドホール，雨水ます，マンホール，ＣＣボックス等に使用されるものである。
【０００２】
【従来の技術】
例えば、従来におけるハンドホール用側塊は、底板の周縁に筒体を立設したものであり、コンクリートの型成形によって一体成形されていた。
【特許文献１】実開昭５９−１１７２３３号公報
【特許文献２】意匠公報第５７８７６２の類似１号公報
【０００３】
【発明が解決しようとする課題】
しかしながら、かかる従来の地中構造物用側塊（ハンドホール）にあっては、前記底板に対して前記筒体が略垂直に連設されていたため、コンクリート成形する際に型抜きを簡易にする必要上内壁面を形成するコンクリート型を複数の分割型によらざるを得ず、この結果、この成形作業に手間がかかり、ひいては、地中構造物用側塊（ハンドホール）の生産能率を向上させにくいという不都合を有した。
【０００４】
この発明の課題は前記不都合を解消することである。
【０００５】
【課題を解決するための手段】
この課題を達成するために、この発明に係る地中構造物用側塊においては、基板の周縁に筒体を立設した地中構造物用側塊において、前記筒体の少なくとも内壁面が先端に向かって外側に傾斜しているため、内壁面を形成するコンクリート型が単一の型であっても型抜きが容易にできる。
【０００６】
また、前記筒体の側壁部を先端に向かうに従って肉薄にすれば、この筒体の部分を単一の型で成形しても先端方向へ容易に抜くことができる。
【０００７】
また、前記筒体の側壁部に開口部を設けるとともに前記筒体の内壁面における前記開口部近傍を前記基板に対して垂直な面にすれば、この開口部に導管を繋ぐときに、その先端縁と筒体の内壁面とを面一にしやすいものである。
【０００８】
また、地中構造物用側塊の製法においては、基板の周縁に筒体を立設し、この筒体の側壁部に開口部を有し、前記筒体の少なくとも内壁面が先端に向かって外側に傾斜しているとともに前記開口部の内壁面近傍を前記基板に対して垂直な面に形成した地中構造物用側塊をコンクリート成形するにあたって、前記開口部の内壁面近傍を入子によって成形するようにしたため、前記筒体の少なくとも内壁面が先端に向かって外側に傾斜しているとともに前記開口部の内壁面近傍を前記基板に対して垂直な面に形成した地中構造物用側塊をコンクリート成形しやすい。
【０００９】
また、地中構造物用側塊においては、基板の周縁に筒体を立設し、前記筒体の少なくとも内壁面が先端に向かって外側に傾斜している地中構造物用側塊部材を一対用意し、これらの地中構造物用側塊部材の各々筒体の先端縁を互いに対向させるとともにこれらの先端縁を連設すれば、唯一のコンクリート型を使用してボックス状の地中構造物用側塊を製造することができる。
【００１０】
【発明の実施の態様】
図１はこの発明に係る地中構造物用側塊の断面図、図２はこの実施例を入子を使用してコンクリート成形する状態の断面図、図３は図１におけるＩＩＩ−ＩＩＩ線断面図、図４は図１におけるマンホール蓋のＩＶ矢視図、図５〜図１１はこの地中構造物用側塊を詳細に示したものであり、図５は正面図、図６は右側面図、図７は左側面図、図８は平面図、図９は底面図、図１０は図５におけるＸ−Ｘ線断面図、図１１は同ＸＩ−ＸＩ線断面図であり、また、図１２は第二実施例の断面図、図１３は第三実施例の平面図である。
【００１１】
図１〜図１１は第一実施例を示したものである。
図１において、Ｍはコンクリート製のハンドホール用側塊（この発明の「地中構造物用側塊」に相当する）、１１はこのハンドホール用側塊Ｍの底板（この発明の「基板」に相当する）であり、略正方形状をしている。１２は四角筒状の筒体であり、前記底板１１の周縁に一体的に立設されている。この筒体１２の側壁部１２１は先端に向かうに従って（底板１１から離れるに従って）肉薄になっている。このため、前記ハンドホール用側塊Ｍの内壁面を成形する際に単一のコンクリート型であっても型抜きが容易にできる。なお、この筒体１２の先端縁には枠部１３が一体形成されている。この枠部１３には、ハンドホール枠５１が嵌挿固定される。
【００１２】
２０，２０は開口部であり、前記筒体１２の側壁部１２１に形成されている。この開口部２０には導管２１が内嵌めされた状態で接続される。この開口部２０の近傍２２は前記基板１１に対して略垂直に形成されている。このため、前記導管２１を繋ぐときに、その先端縁と筒体１２の内壁面とを面一にしやすい。なお、この開口部２０の近傍２２をコンクリート成形する場合には、図２に示すように、入子２９を使用すれば簡易に内壁面を形成する型の型抜きができる。この入子２９は開口部２０の部分も同時に成形するためのものであるが、開口部２０を成形する入子とは別々に設けることもできる。なお、図２において、９１はハンドホール用側塊Ｍの内側面（筒体１２の側壁部１２１の内側面および底板１１の内側面）を成形するための内型、９２はハンドホール用側塊Ｍの外側面（筒体１２の側壁部の外側面および底板１１の外側面）を成形するための外型である。
【００１３】
３０，３０はナット部材であり、前記筒体１２の内壁面上部にインサートされている。このナット部材３０には係止ボルト３１が螺着され、連結鎖３２が繋がれている。また、この連結鎖３２の他端は後記ハンドホール蓋５０に繋がれている。
【００１４】
なお、図１及び図３において、３３は黄銅製アース端子であり、前記筒体１２の内壁面上部に貫通した状態でボルト止めされている。
【００１５】
次に、図１及び図４において、５０はハンドホール蓋であり、前記ハンドホール枠５１に着脱可能に内嵌めされている。このハンドホール蓋５０の表面には、突起５２，５２…が点在し、特に、部分的にはコロニー部Ｃを構成している。このため、車両のスリップ止め効果を奏する。
【００１６】
なお、図５〜図１１に上記したハンドホール用側塊Ｍが詳細に説明されている。
【００１７】
次に、図１２は第二実施例を示したものである。
この実施例は、四角筒状のハンドホール用側塊Ｍであり、同じコンクリート型を使用して成形した下部側塊部材６０と上部側塊部材７０とを各々の先端縁６９，７９を互いに対向させて連設したものである。これらの側塊部材６０，７０は両方とも先端に向かうに従って（底板６１又は上板７１から離れるに従って）側壁部６２，７２が肉薄になっている。なお、上部側塊部材７０を成形する際には、ハンドホール孔７５を形成するための入子をコンクリート型に設置することが必要である。また、下部側塊部材６０と上部側塊部材７０との間に互いに連設段部６３，７３を形成するには、互いに雄雌となるように補助型を使用することが必要である。
【００１８】
図１３は第三実施例を示したものである。この実施例も、四角筒状のハンドホール用側塊Ｍであるが、同じコンクリート型を使用して成形した右部側塊部材８１と左部側塊部材８２とを各々の先端縁８８，８９を互いに対向させて連設したものである。これらの側塊部材８１，８２は両方ともその側壁部８５，８６がハンドホール用側塊Ｍの先端に向かうに従って（底板８３，８４から離れるに従って）肉薄になっている。
【００１９】
【発明の効果】
この発明に係る地中構造物用側塊は、基板の周縁に筒体を立設した地中構造物用側塊において、前記筒体の少なくとも内壁面が先端に向かって外側に傾斜しているため、内壁面を形成するコンクリート型が単一の型であっても型抜きが容易にできる。
【００２０】
よって、この地中構造物用側塊は、成形作業がしやすく、ひいては、生産能率を向上させやすいという効果を有する。
【００２１】
なお、前記筒体の側壁部を先端に向かうに従って肉薄にすれば、この筒体の部分を単一の型で成形しても先端方向へ容易に抜くことができるため、型の数を更に少なくすることができ、成形作業がより一層容易になる。
【００２２】
また、前記筒体の側壁部に開口部を設けるとともに前記筒体の内壁面における前記開口部近傍を前記基板に対して垂直な面にすれば、この開口部に導管を繋ぐときに、その先端縁と筒体の内壁面とを面一にしやすいものである。
【００２３】
また、地中構造物用側塊の製法においては、基板の周縁に筒体を立設し、この筒体の側壁部に開口部を有し、前記筒体の少なくとも内壁面が先端に向かって外側に傾斜しているとともに前記開口部の内壁面近傍を前記基板に対して垂直な面に形成した地中構造物用側塊をコンクリート成形するにあたって、前記開口部の内壁面近傍を入子によって成形するようにしたため、前記筒体の少なくとも内壁面が先端に向かって外側に傾斜しているとともに前記開口部の内壁面近傍を前記基板に対して垂直な面に形成した地中構造物用側塊をコンクリート成形しやすいものである。
【００２４】
また、地中構造物用側塊においては、基板の周縁に筒体を立設し、前記筒体の少なくとも内壁面が先端に向かって外側に傾斜している地中構造物用側塊部材を一対用意し、これらの地中構造物用側塊部材の各々筒体の先端縁を互いに対向させるとともにこれらの先端縁を連設すれば、唯一のコンクリート型を使用してボックス状の地中構造物用側塊を製造することができる。
【図面の簡単な説明】
【図１】この発明に係る地中構造物用側塊の断面図である。
【図２】この実施例を入子を使用してコンクリート成形する状態の断面図である  。
【図３】図１におけるＩＩＩ−ＩＩＩ線断面図である。
【図４】図１におけるマンホール蓋のＩＶ矢視図である。
【図５】この地中構造物用側塊を詳細に示した正面図である。
【図６】同右側面図である。
【図７】同左側面図である。
【図８】同平面図である。
【図９】同底面図である。
【図１０】図５におけるＸ−Ｘ線断面図である。
【図１１】同ＸＩ−ＸＩ線断面図である。
【図１２】第二実施例の断面図である。
【図１３】第三実施例の平面図である。
【符号の説明】
Ｍ    …  ハンドホール用側塊（地中構造物用側塊）
１１  …  底板（基板）
１２  …  筒体
１２１…  側壁部
２０  …  開口部
２２  …  開口部近傍
２９  …  入子
６０  …  下部側塊部材（地中構造物用側塊）
６１  …  底板（基板）
６２  …  側壁部
６９  …  先端縁（下部側塊部材の）
７０  …  上部側塊部材（地中構造物用側塊）
７１  …  上板（基板）
７２  …  側壁部
７９  …  先端縁（上部側塊部材の）
８５  …  側壁部
８６  …  側壁部
８８  …  先端縁（右部側塊部材の）
８９  …  先端縁（左部側塊部材の）
【図１】
2004339915.tif 000003
【図２】
2004339915.tif 000004
【図３】
2004339915.tif 000005
【図４】
2004339915.tif 000006
【図５】
2004339915.tif 000007
【図６】
2004339915.tif 000008
【図７】
2004339915.tif 000009
【図８】
2004339915.tif 000010
【図９】
2004339915.tif 000011
【図１０】
2004339915.tif 000012
【図１１】
2004339915.tif 000013
【図１２】
2004339915.tif 000014
【図１３】
2004339915.tif 000015